【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
ユーザが閲覧するためのコンテンツの記事を表示するコンテンツ閲覧装置において、
前記ユーザが閲覧するための前記コンテンツと、前記複数存在するコンテンツのうちの前記各コンテンツのそれぞれの画面上での表示位置を示す位置情報を記憶する記憶手段と、
当該コンテンツに対しユーザから閲覧指示がなされると、前記記憶手段に記憶された当該コンテンツの前記位置情報に基づいて当該コンテンツを表示する表示手段と、
を備えることを特徴とするコンテンツ閲覧装置。
【請求項２】
前記記憶手段は、前記コンテンツに対して、該コンテンツの記事の見出しも記憶するものであって、
前記表示手段は、前記コンテンツに対応付けられた該コンテンツの記事の見出しも表示するものであって、
前記表示手段により表示された前記見出しの選択を受け付ける見出し選択受付手段をさらに備え、
前記表示手段は、前記見出し選択受付手段により選択された前記見出しに対して前記記憶手段に記憶された前記コンテンツの記事の画面上での位置情報を取得し、該コンテンツを画面上の所定の位置に表示すること
を特徴とする請求項１に記載のコンテンツ閲覧装置。
【請求項３】
前記表示手段により表示された前記記事の表示部分のユーザによる選択を受け付ける記事受付選択手段をさらに備え、
前記表示手段は、前記記事受付選択手段により、前記記事の選択を受け付けた場合、当該選択された該記事に対応して前記記憶手段に記憶された前記コンテンツの記事の画面上での位置情報を取得し、該コンテンツを画面上の所定の位置に表示する
ことを特徴とする請求項１または２に記載のコンテンツ閲覧装置。
【請求項４】
前記見出し選択受付手段により受け付けたユーザによる前記見出し選択方法が第一の選択方法であるか第二の選択方法であるかを判別する判別手段と、
前記判別手段により前記見出し選択受付手段ユーザによる前記見出しの選択方法が前記第一の方法であると判別された場合、前記見出し選択受付手段により選択を受け付けた前記見出しに紐付いて記憶されている前記コンテンツの記事の画面上の位置情報を用いることにより、当該選択された見出しに紐付いて記憶されている記事を表示し、一方、前記判別手段により前記ユーザによる前記見出しの選択方法が前記第二の方法であると判別された場合、前記選択受付手段により選択を受け付けた前記見出しに紐付いて記憶されている前記コンテンツの記事の画面上の位置情報を用いることにより、当該選択された見出しに紐付いて記憶されている記事を表示すべく、前記コンテンツ閲覧装置の表示領域のサイズに最適な大きさで前記コンテンツのサイズの拡縮率を変更する拡縮変更手段と
を更に備えることを特徴とする請求項２または３の項に記載のコンテンツ閲覧装置。
【請求項５】
前記見出し選択受付手段により前記見出しのうち複数の見出しの選択を受け付けた場合、当該見出しに紐付いて記憶されている前記コンテンツの記事の画面上の位置情報と前記記事のサイズの情報を用いることにより、前記コンテンツ閲覧装置の表示領域のサイズに適切な大きさで前記選択された複数の見出しに対応するコンテンツを同時に表示させるべく、当該コンテンツのサイズの拡縮率を変更する第二の拡縮変更手段と
を備えることを特徴とする請求項２乃至４のいずれか１項に記載のコンテンツ閲覧装置。
【請求項６】
前記表示手段は、
前記コンテンツ閲覧装置の表示領域において、前記コンテンツの記事の表示部分をユーザに指定させ、指定した前記表示部分を移動させたい向きに操作させることにより表示部分の移動を可能とすること
を特徴とする請求項１乃至５のいずれか１項に記載のコンテンツ閲覧装置。
【請求項７】
前記コンテンツと前記位置情報とをエンコードしたエンコード情報を受信する受信手段と、
前記受信手段で受信されたエンコード情報をデコードして、前記コンテンツと前記位置情報とを得るデコード手段とをさらに備え、
前記表示手段は、前記デコード手段によりデコードされた前記コンテンツの位置情報に基づいて、前記コンテンツを表示すること
を特徴とする請求項１乃至６のいずれか１項に記載のコンテンツ閲覧装置。
【請求項８】
ユーザが閲覧するためのコンテンツの記事を表示するコンテンツ閲覧装置の制御方法であって、
前記コンテンツ閲覧装置の登録手段が、前記ユーザが閲覧するための前記コンテンツと、前記複数存在するコンテンツのうちの前記各コンテンツのそれぞれの画面上での表示位置を示す位置情報を記憶手段に登録させる登録ステップと、
前記コンテンツ閲覧装置の表示手段が、当該コンテンツに対しユーザから閲覧指示がなされると、前記記憶手段に記憶された当該コンテンツの前記位置情報に基づいて当該コンテンツを表示する表示ステップと、
を含むことを特徴とするコンテンツ閲覧装置の制御方法。
【請求項９】
コンピュータを、ユーザが閲覧するためのコンテンツの記事を表示するコンテンツ閲覧装置として機能させるプログラムであって、
前記コンピュータを、
前記ユーザが閲覧するための前記コンテンツと、前記複数存在するコンテンツのうちの前記各コンテンツのそれぞれの画面上での表示位置を示す位置情報を記憶手段に登録させる登録手段、
当該コンテンツに対しユーザから閲覧指示がなされると、前記記憶手段に記憶された当該コンテンツの前記位置情報に基づいて当該コンテンツを表示する表示手段、
として機能させることを特徴とするプログラム。
【請求項１０】
ユーザが閲覧するためのコンテンツの記事を表示するコンテンツ閲覧装置とコンテンツサーバとがネットワークを通じて接続されているコンテンツ閲覧システムであって、
前記コンテンツ閲覧装置は、
前記コンテンツサーバがエンコードしたデータを受信してデコードするデコード手段と、
前記ユーザが閲覧するための前記コンテンツと、前記複数存在するコンテンツのうちの前記各コンテンツのそれぞれの画面上での表示位置を示す位置情報を記憶する記憶手段と、
当該コンテンツに対しユーザから閲覧指示がなされると、前記記憶手段に記憶された当該コンテンツの前記位置情報に基づいて当該コンテンツを表示する表示手段とを備え、
前記コンテンツサーバは、
前記コンテンツと当該コンテンツに記載されている記事の見出しと当該記事のコンテンツ中での位置情報とを紐付けて記憶することにより、前記コンテンツ閲覧装置で閲覧するための当該コンテンツをエンコードして、クライアントの前記コンテンツ閲覧装置に送信する送信手段と、
を備えることを特徴とするコンテンツ閲覧システム。
【請求項１１】
ユーザが閲覧するためのコンテンツの記事を表示するコンテンツ閲覧装置とコンテンツサーバとネットワークを通じて接続されているコンテンツ閲覧システムの制御方法であって、
前記コンテンツ閲覧装置の登録手段が、前記ユーザが閲覧するための前記コンテンツと、前記複数存在するコンテンツのうちの前記各コンテンツのそれぞれの画面上での表示位置を示す位置情報を記憶させる登録ステップと、
前記コンテンツ閲覧装置の表示手段が、当該コンテンツに対しユーザから閲覧指示がなされると、記憶手段に記憶された当該コンテンツの前記位置情報に基づいて当該コンテンツを表示する表示ステップと、
前記コンテンツサーバの生成手段が、前記コンテンツと当該コンテンツに記載されている記事の見出しと当該記事のコンテンツ中での位置情報とを紐付けて記憶することにより、前記コンテンツ閲覧装置で閲覧するための当該コンテンツをエンコードして、クライアントの前記コンテンツ閲覧装置に送信する送信ステップと、
を含むことを特徴とするコンテンツ閲覧システムの制御方法。
【手続補正２】
【補正対象書類名】明細書
【補正対象項目名】００１７
【補正方法】変更
【補正の内容】
【００１７】
そこで、本発明の目的は、コンテンツを表示するための画面が小さく、且つ、複数のウインドウを表示することができない携帯端末で電子新聞に代表されるコンテンツを閲覧する場合において、コンテンツの見出し一覧をユーザに表示させ、ユーザが閲覧希望のコンテンツの見出しを選択すると、その見出しに紐づくコンテンツの紙面イメージと記事を表示し、かつ、画面上で表示されたコンテンツを拡大縮小表示させたり、画面上からも閲覧希望のコンテンツの記事へ移動し希望の記事を表示することも可能とするためのコンテンツ表示閲覧装置を提供することである。
【手続補正３】
【補正対象書類名】明細書
【補正対象項目名】００１８
【補正方法】変更
【補正の内容】
【００１８】
本発明は、ユーザが閲覧するためのコンテンツの記事を表示するコンテンツ閲覧装置において、前記ユーザが閲覧するための前記コンテンツと、前記複数存在するコンテンツのうちの前記各コンテンツのそれぞれの画面上での表示位置を示す位置情報を記憶する記憶手段と、当該コンテンツに対しユーザから閲覧指示がなされると、前記記憶手段に記憶された当該コンテンツの前記位置情報に基づいて当該コンテンツを表示する表示手段と、を備えることを特徴とする。
【手続補正４】
【補正対象書類名】明細書
【補正対象項目名】００１９
【補正方法】変更
【補正の内容】
【００１９】
本発明によれば、本発明によれば、電子新聞に代表されるコンテンツを可搬性の高い端末で閲覧する場合において、見出し一覧から閲覧を希望するコンテンツの記事の見出しを選択することによりコンテンツの紙面イメージそのものを表示すると同時に、簡便な操作で紙面イメージ上の記事へのアクセスを行い最適な大きさで表示するためのコンテンツ表示閲覧装置を提供することが可能になる。
【手続補正５】
【補正対象書類名】明細書
【補正対象項目名】００７３
【補正方法】変更
【補正の内容】
【００７３】
見出し７０２は、先述のステップＳ５０３で検出した＜見出し＞タグ６０４内に記述されていた情報を示す。例えばステップＳ５０３で、「裁判員制度により裁判員が参加する初めての裁判開廷」という見出しを検出していた場合は、見出し７０１にも同内容の情報が格納される。
【手続補正６】
【補正対象書類名】明細書
【補正対象項目名】００７４
【補正方法】変更
【補正の内容】
【００７４】
位置情報７０３は、先述のステップＳ５０４で検出した＜位置情報＞タグ６０３内に記述されていた情報を示す。例えば該当する記事の右上頂点のｘ軸上の位置が「１２３」でｙ軸上の位置が「４５」であれば、（１２３，４５）という位置情報が位置情報７０２には格納される。
右上座標７０３は、書誌情報６００の＜ページ＞タグ６０１から検出して格納される情報である。
【手続補正７】
【補正対象書類名】明細書
【補正対象項目名】０１３２
【補正方法】変更
【補正の内容】
【０１３２】
図１５の（ｂ）は、紙面イメージ表示領域１００１をクリックした後の画面例であり、［特集最前線］「荒れる学校いまも・・・」の紙面イメージが表示され、表示中の記事見出しが識別できるように表示されている（１５０２）。